(57)【特許請求の範囲】
【請求項１】
建物の壁面に付設される外側面を有した底壁を備え、且つ、該底壁の外周縁から該底壁の内側面側に立設されて開口を形成するとともに電線が挿通される挿通孔が形成される側壁を備えたボックス本体と、該ボックス本体の開口を塞ぐ蓋体とを備えた配線用プルボックスにおいて、
上記底壁を、折曲線を境にして折曲形成され該折曲線の両側に所定角度で連設される一方底壁と他方底壁とを有した形状に形成し、
上記底壁の一方底壁及び他方底壁を夫々矩形状に形成するとともに、該一方底壁の外側面と他方底壁の外側面とのなす角度θを、θ＝９０°若しくはθ＝２７０°にし、上記底壁を、上記折曲線に平行で互いに対向する直線状の一対の直線外側辺と、上記折曲線に直交しＬ字状に形成された一対のＬ字外側辺とを備えた形状に形成し、
上記側壁を、上記各直線外側辺から夫々立設され所定高さで矩形状の一対の矩形側壁と、上記各Ｌ字外側辺から夫々立設され両端縁が上記矩形側壁と同じ所定高さに形成されて該矩形側壁に連設されるとともに上縁が上記Ｌ字外側辺に対応した略Ｌ字状に形成され全体が略Ｌ字形の一対のＬ字形側壁とを備えて構成し、上記矩形側壁の上縁及びこれに連続する上記Ｌ字形側壁の上縁により開口を形成し、
上記蓋体を、上記開口を塞ぐ大きさで上記一方底壁に平行な一方蓋壁と上記他方底壁に平行な他方蓋壁とを備え全体を略Ｌ字形に形成したことを特徴とする配線用プルボックス。
【請求項２】
上記底壁の内側面側に上記折曲線に沿って突出し電線を支持可能な枕部を設けたことを特徴とする請求項１記載の配線用プルボックス。
【請求項３】
建物の壁面に付設される外側面を有した底壁を備え、且つ、該底壁の外周縁から該底壁の内側面側に立設されて開口を形成するとともに電線が挿通される挿通孔が形成される側壁を備えたボックス本体と、該ボックス本体の開口を塞ぐ蓋体とを備えた配線用プルボックスにおいて、
上記底壁を、折曲線を境にして折曲形成され該折曲線の両側に所定角度で連設される一方底壁と他方底壁とを有した形状に形成し、
上記底壁の内側面側に上記折曲線に沿って突出し電線を支持可能な枕部を設けたことを特徴とする配線用プルボックス。
【請求項４】
上記枕部の表面を横断面円弧状に形成したことを特徴とする請求項２または３記載の配線用プルボックス。
【請求項５】
上記枕部の表面に、上記折曲線に沿って突出し横断面円弧状の凸条を複数設けたことを特徴とする請求項２または３記載の配線用プルボックス。
【請求項６】
上記ボックス本体及び蓋体を夫々樹脂で型成形により形成したことを特徴とする請求項１乃至５何れかに記載の配線用プルボックス。
【発明の詳細な説明】
【技術分野】
【０００１】
本発明は、建物の屋内外においてその壁面に電線を分岐管に挿通して配線する際に用いられる配線用プルボックスに係り、特に、電線を分岐させたり曲げたりする際に配線を容易にすることができる配線用プルボックスに関する。
【背景技術】
【０００２】
一般に、図７に示すように、従来からある配線用プルボックスＢａは、開口１０１を有した矩形箱型のボックス本体１００と、この開口１０１を塞ぐ蓋体１０２とを備えて構成されている。この配線用プルボックスＢａを用いるときは、例えば、直線状に配線された２本の電線Ｗのうち一方の電線Ｗ（ａ）をそのまま直線状にして配線し他方の電線Ｗ（ｂ）を垂直方向に直角に曲げて方向変換させる場合で説明すると、現場において、所謂ホールソーといわれる穴開け工具（図示せず）により、ボックス本体の側壁１０５に電線管１０３を接続するための挿通孔１０４を形成する。それから、このボックス本体１００をその底壁１０６においてビス等で建物の壁面Ｓに付設するとともに、電線管１０３の端部をこの挿通孔１０４にネジ手段１０７等で固定する。そして、この状態で、一方側の電線管１０３から他方側の電線管１０３に電線Ｗを引き通し、最後に蓋体１０２を取り付けて開口１０１を覆う。この場合、ボックス本体１００では、一方側の電線管１０３から挿通された電線Ｗを一度このボックス本体１００内に露出させてから、他方側の電線管１０３に引き通すことができるので、引き通し作業が極めて容易に行われる。また、ボックス本体１００内では電線Ｗは露出するが、蓋体１０２で覆われるので、電線Ｗを保護することができる（例えば、実用新案登録第３１００７０７号公報（特許文献１）等参照）。
【先行技術文献】
【特許文献】
【０００３】
【特許文献１】実用新案登録第３１００７０７号公報
【発明の概要】
【発明が解決しようとする課題】
【０００４】
ところで、図８に示すように、一方の建物壁面ＳＡと他方の建物壁面ＳＢとが直角に折れ曲がってなる建物の壁面Ｓのコーナ部Ｃ（角部）において、電線Ｗを曲げて方向変換する際には、電線管１０３による保護が難しいので、多くの場合、この曲り部分Ｗｃは露出させたままにしている実情がある。その理由は、例えば、電線管１０３として直角に曲がったエルボ管（図示せず）を用いることが可能であるが、エルボ管を付設した後の電線Ｗの引き通しが極めてやりにくく容易ではないので、実質的に採用しにくいからである。
【０００５】
また、従来から用いられている上記の配線用プルボックスＢａを用いることも可能である。その場合には、図９に示すように、ボックス本体１００の一方の建物壁面ＳＡ側に向く側壁１０５に挿通孔１０４を設け、この側壁１０５に対向する側壁１０５に近い側の底壁１０６にも挿通孔１０４を設け、この底壁１０６の挿通孔１０４が他方の建物壁面ＳＢ側に向くように一方の建物壁面ＳＡにボックス本体１００の底壁１０６をビス等で取り付ける。そして、上記と同様に、電線管１０３の端部をこの挿通孔１０４にネジ手段１０７等で固定し、一方側の電線管１０３から他方側の電線管１０３に電線Ｗを引き通し、最後に蓋体１０２を取り付けて開口１０１を覆う。これにより、一応、電線Ｗの曲り部分Ｗｃを覆うことができ、保護を図ることができる。
【０００６】
しかしながら、この方法だと、電線Ｗの曲り部分Ｗｃを覆うことができても、ボックス本体１００の略半分が建物壁面Ｓから突出してしまうので、支持が不安定になるという問題がある。また、建物壁面Ｓからの突出した部分には底壁１０６が露出することになることもあって、外観品質が著しく劣ってしまうという問題がある。
【０００７】
本発明は上記の問題点に鑑みて為されたもので、建物のコーナ部において曲げられて配線される電線を覆うことができるようにするとともに、建物の壁面への支持を確実にして、外観品質の向上を図った配線用プルボックスを提供することを目的とする。
【課題を解決するための手段】
【０００８】
このような目的を達成するための本発明の配線用プルボックスは、建物の壁面に付設される外側面を有した底壁を備え、且つ、該底壁の外周縁から該底壁の内側面側に立設されて開口を形成するとともに電線が挿通される挿通孔が形成される側壁を備えたボックス本体と、該ボックス本体の開口を塞ぐ蓋体とを備えた配線用プルボックスにおいて、上記底壁を、折曲線を境にして折曲形成され該折曲線の両側に所定角度で連設される一方底壁と他方底壁とを有した形状に形成した構成としている。
本発明の配線用プルボックスは、建物の一方の建物壁面と他方の建物壁面とが折れ曲がってなるコーナ部（角部）において、取付けられる。そのため、所定角度は、建物のコーナ部の角度に合わせて設定すればよい。
【０００９】
これによれば、建物のコーナ部において、例えば、一方の建物壁面に直線状に配線された電線を他方の建物壁面に沿わせるように曲げて方向変換させる場合で説明すると、現場において、所謂ホールソーといわれる穴開け工具により、ボックス本体の一方の建物壁面側を向く側壁に電線管を接続するための挿通孔を形成するとともに、他方の建物壁面側を向く側壁に電線管を接続するための挿通孔を形成する。それから、このボックス本体を、その一方底壁を一方の建物壁面に当接させ、他方底壁を他方の建物壁面に当接させて建物のコーナ部の壁面にビス等で付設するとともに、電線管の端部をこれらの挿通孔にネジ手段等で固定する。そして、この状態で、一方側の電線管から電線を引き通しボックス本体内で曲げて更に他方側の電線管に電線を引き通し、最後に蓋体を取り付けて開口を覆う。この場合、ボックス本体では、一方側の電線管から挿通された電線を一度このボックス本体内に露出させてから、他方側の電線管に引き通すことができるので、引き通し作業が極めて容易に行われる。また、ボックス本体内では電線は露出するが、蓋体で覆われるので、電線を保護することができる。
【００１０】
更に、ボックス本体の底壁が建物壁面に当接させられるので、支持が確実になる。また、配線用プルボックスは、建物のコーナ部から突出して取り付けられることになるが、その底壁の外側面は建物の壁面に当接して外部に露出することがなく、そのため、外観品質を向上させることができる。
【００１１】
そして、必要に応じ、上記底壁の一方底壁及び他方底壁を夫々矩形状に形成するとともに、該一方底壁の外側面と他方底壁の外側面とのなす角度θを、θ＝９０°若しくはθ＝２７０°にし、上記底壁を、上記折曲線に平行で互いに対向する直線状の一対の直線外側辺と、上記折曲線に直交しＬ字状に形成された一対のＬ字外側辺とを備えた形状に形成した構成としている。一方底壁の外側面と他方底壁の外側面とのなす角度θを、θ＝９０°にしたものは、建物の一方の建物壁面と他方の建物壁面との表面側のなす角度が２７０°の突出したコーナ部用のものであり、θ＝２７０°にしたものは、建物の一方の建物壁面と他方の建物壁面との表面側のなす角度が９０°の凹んだコーナ部用のものである。これにより、ほとんどの建物の壁のコーナ部は直角に折れ曲がっているので、この一般的な建物に用いることができ、汎用性が向上させられる。
【００１２】
また、必要に応じ、上記側壁を、上記各直線外側辺から夫々立設され所定高さで矩形状の一対の矩形側壁と、上記各Ｌ字外側辺から夫々立設され両端縁が上記矩形側壁と同じ所定高さに形成されて該矩形側壁に連設されるとともに上縁が上記Ｌ字外側辺に対応した略Ｌ字状に形成され全体が略Ｌ字形の一対のＬ字形側壁とを備えて構成し、上記矩形側壁の上縁及びこれに連続する上記Ｌ字形側壁の上縁により開口を形成した構成としている。これにより、ボックス本体全体がＬ字形状に形成され、出っ張りを最小限に抑えることができるので、コンパクトになって外観品質を向上させることができる。
【００１３】
この場合、必要に応じ、上記蓋体を、上記開口を塞ぐ大きさで上記一方底壁に平行な一方蓋壁と上記他方底壁に平行な他方蓋壁とを備え全体を略Ｌ字形に形成した構成としている。これにより、蓋体全体がＬ字形に形成され、出っ張りを最小限に抑えることができるので、コンパクトになって外観品質を向上させることができる。
【００１４】
そしてまた、必要に応じ、上記底壁の内側面側に上記折曲線に沿って突出し電線を支持可能な枕部を設けた構成としている。電線を一方側の電線管から電線を引き通しボックス本体内で曲げて更に他方側の電線管に電線を引き通す際、電線を他方側で引っ張ることを行うが、この際、電線は枕部に支持されるので、電線に無理な力が生じることが抑制され、電線を引き通し易くなる。
【００１５】
この場合、必要に応じ、上記枕部の表面を横断面円弧状に形成した構成としている。電線が引っ張られて枕部を摺接する際、滑りが良くなるので、電線の損傷を防止することができる。
また、必要に応じ、上記枕部の表面に、上記折曲線に沿って突出し横断面円弧状の凸条を複数設けた構成としている。電線が引っ張られて枕部を摺接する際、電線が複数の凸条に当接するが、凸条に対して略点接触になるので、より一層滑りが良くなり、確実に電線の損傷を防止することができる。
【００１６】
更に、必要に応じ、上記ボックス本体及び蓋体を夫々樹脂で型成形により形成した構成としている。樹脂で一体形成するので、製造が容易になり、安価に提供できるようになる。
【発明の効果】
【００１７】
本発明によれば、建物のコーナ部において、電線を曲げて方向変換させて配線する場合、ボックス本体をコーナ部の壁面に付設して配線を行うことができる。そのため、ボックス本体では、一方側の電線管から挿通された電線を一度このボックス本体内に露出させてから、他方側の電線管に引き通すことができるので、引き通し作業を極めて容易に行なうことができる。また、ボックス本体内では電線は露出するが、蓋体で覆われるので、電線を保護することができる。更に、ボックス本体の底壁が建物壁面に当接させられるので、支持が確実になる。更にまた、配線用プルボックスは、建物のコーナ部から突出して取り付けられることになるが、その底壁の外側面は建物の壁面に当接して外部に露出することがなく、そのため、外観品質を向上させることができる。
【図面の簡単な説明】
【００１８】
【図１】本発明の第一の実施の形態に係る配線用プルボックスをその取付け状態で示す一部切欠き分解斜視図である。
【図２】本発明の第一の実施の形態に係る配線用プルボックスをその取付け状態で示す横断面図である。
【図３】本発明の第一の実施の形態に係る配線用プルボックスをその取付け状態で示す縦断面図である。
【図４】本発明の第一の実施の形態に係る配線用プルボックスをその取付け状態で示す斜視図である。
【図５】本発明の第二の実施の形態に係る配線用プルボックスをその取付け状態で示す分解斜視図である。
【図６】本発明の実施の形態に係る配線用プルボックスの変形例を示す分解斜視図である。
【図７】従来からある配線用プルボックスをその取付け状態で示す一部切欠き分解斜視図である。
【図８】建物のコーナ部における一般的な配線状態を示す斜視図である。
【図９】建物のコーナ部において従来からある配線用プルボックスを用いて配線した場合の状態を示す一部切欠き斜視図である。
【発明を実施するための形態】
【００１９】
以下、添付図面に基づいて、本発明の実施の形態に係る配線用プルボックスについて詳細に説明する。
図１乃至図４には、本発明の第一の実施の形態に係る配線用プルボックスＢを示している。第一の実施の形態に係る配線用プルボックスＢは、建物の壁面Ｓのうち、一方の建物壁面ＳＡと他方の建物壁面ＳＢとが直角に折れ曲がってなるコーナ部Ｃ（角部）であって、一方の建物壁面ＳＡと他方の建物壁面ＳＢとの表面側のなす角度が２７０°の突出したコーナ部用のものである。
【００２０】
この実施の形態に係る配線用プルボックスＢは、開口２を有したボックス本体１と、開口２を塞ぐ蓋体２０とからなり、夫々、樹脂で型成形により形成されている。ボックス本体１は、建物の壁面Ｓに付設される外側面３ａを有した底壁３と、底壁３の外周縁から底壁３の内側面３ｂ側に立設されて開口２を形成するとともに電線Ｗが挿通される挿通孔４（図２）が形成される側壁５とを備えて構成されている。
【００２１】
挿通孔４には、電線Ｗが挿通される電線管Ｋの端部が取付けられる。図２に示すように、電線管Ｋの端部Ｋａには、挿通孔４の開口縁に当接するフランジ６が設けられており、このフランジ６より先端側の外周には雄ネジ７が形成されている。挿通孔４は、この電線管Ｋの端部Ｋａの雄ネジ７部分が挿通できる大きさに形成されている。雄ネジ７には、ボックス本体１の内部からナット８がねじ込まれ、このナット８を締め付けて、ナット８とフランジ６とで挿通孔４の開口縁を挾持することにより、電線管Ｋはボックス本体１の側壁５に取付けられる。
【００２２】
底壁３は、折曲線Ｑを境にして折曲形成され該折曲線Ｑの両側に所定角度で連設される一方底壁１０Ａと他方底壁１０Ｂとを有した形状に形成されている。詳しくは、底壁３において、一方底壁１０Ａ及び他方底壁１０Ｂは、夫々同形状の矩形状に形成されている。そして、一方底壁１０Ａの外側面３ａと他方底壁１０Ｂの外側面３ａとのなす角度θは、θ＝９０°に設定され、底壁３全体は、折曲線Ｑに平行で互いに対向する直線状の一対の直線外側辺１１と、折曲線Ｑに直交しＬ字状に形成された一対のＬ字外側辺１２とを備えた形状に形成されている。
【００２３】
側壁５は、底壁３の各直線外側辺１１から該底壁３に対して直角に夫々立設され所定高さＨで矩形状の一対の矩形側壁１３Ａと、全体が略Ｌ字形の一対のＬ字形側壁１３Ｂとを備えて構成されている。Ｌ字形側壁１３Ｂは、底壁３の各Ｌ字外側辺１２から夫々立設され両端縁が矩形側壁１３Ａと同じ所定高さＨに形成されて矩形側壁１３Ａに連設されるとともに、上縁が上記Ｌ字外側辺１２に対応したＬ字状に形成されている。そして、矩形側壁１３Ａの上縁及びこれに連続するＬ字形側壁１３Ｂの上縁により開口２が形成されている。これにより、ボックス本体１全体がＬ字形状に形成される。
【００２４】
また、矩形側壁１３ＡとＬ字形側壁１３Ｂとの各接合部には内側に突設されたボス１４が一体形成されており、その上面側から後述の蓋体２０を取り付けるためのビス１６の雄ネジが螺合する雌ネジ１５が形成されている。
更に、底壁３の内側面３ｂ側には、折曲線Ｑに沿って突出し電線Ｗを支持可能な枕部１７が一体形成されている。枕部１７の表面には、折曲線Ｑに沿って突出し横断面円弧状の凸条１８が複数（実施の形態では３本）設けられている。
【００２５】
また、蓋体２０は、開口２を塞ぐ大きさであって、一方底壁１０Ａに平行な矩形状の一方蓋壁２１Ａと、他方底壁１０Ｂに平行な矩形状の他方蓋壁２１Ｂとを備え、全体がＬ字形に形成されている。この蓋体２０のコーナ部には、ボックス本体１に形成した雌ネジ１５に対応して、ビス１６の雄ネジが挿通可能な取付け孔２２が形成されている。
【００２６】
従って、この実施の形態に係る配線用プルボックスＢを用いるときは以下のようになる。図１乃至図４に示すように、ここでは、例えば、一方の建物壁面ＳＡに水平方向に配線された２本の電線Ｗのうち、一方の電線Ｗ（ａ）を他方の建物壁面ＳＢに沿わせるように曲げて方向変換させ、他方の電線Ｗ（ｂ）をこの一方の建物壁面ＳＡに沿わせて垂直方向に垂下させて曲げて方向変換させる場合で説明する。現場において、所謂ホールソーといわれる穴開け工具（図示せず）により、ボックス本体１の一方の建物壁面ＳＡ側を向く矩形側壁１３Ａに電線管Ｋを接続するための２つの挿通孔４を形成するとともに、下側のＬ字形側壁１３Ｂであって一方の建物壁面ＳＡ側にある部分に同様に電線管Ｋを接続するための挿通孔４を形成する。また、他方の建物壁面ＳＢ側を向く矩形側壁１３Ａに電線管Ｋを接続するための挿通孔４を形成する。
【００２７】
それから、このボックス本体１を、その一方底壁１０Ａを一方の建物壁面ＳＡに当接させ、他方底壁１０Ｂを他方の建物壁面ＳＢに当接させて建物のコーナ部Ｃの壁面Ｓに付設する。この付設は、例えば、底壁３にビス２３（図３）をねじ込むことにより行う。次に、これらの各挿通孔４に電線管Ｋの端部Ｋａを挿通し、端部Ｋａに形成した雄ネジ７に、ボックス本体１の内部からナット８をネジ込み、このナット８を締め付けて、ナット８とフランジ６とで挿通孔４の開口縁を挾持することにより、電線管Ｋをボックス本体１の側壁５に取付け固定する。
【００２８】
そして、この状態で、一方の電線Ｗ（ａ）においては、一方の建物壁面ＳＡ側の上側の電線管Ｋから電線Ｗ（ａ）を引き通し、ボックス本体１内で曲げて、更に、他方の建物壁面ＳＢ側の電線管Ｋに電線Ｗ（ａ）を引き通す。この場合、電線Ｗ（ａ）を引っ張るが、電線Ｗ（ａ）は枕部１７に支持されるので、電線Ｗ（ａ）に無理な力が生じることが抑制され、電線Ｗ（ａ）を引き通し易くなる。特に、枕部１７の表面に、凸条１８が複数設けられ、電線Ｗ（ａ）はこの複数の凸条１８に当接するが、凸条１８に対して略点接触になるので、より一層滑りが良くなり、確実に電線Ｗ（ａ）の損傷を防止することができる。
【００２９】
また、他方の電線Ｗ（ｂ）においては、一方の建物壁面ＳＡ側の下側の電線管Ｋから電線Ｗ（ｂ）を引き通し、ボックス本体１内で曲げて、更に、一方の建物壁面ＳＡ側のＬ字形側壁１３Ｂに設けた電線管Ｋに電線Ｗ（ｂ）を引き通す。
この場合、ボックス本体１では、一方側の電線管Ｋから挿通された電線Ｗを一度このボックス本体１内に露出させてから、他方側の電線管Ｋに引き通すことができるので、引き通し作業が極めて容易に行われる。
【００３０】
最後に、蓋体２０を開口２に取り付け、この開口２を覆う。蓋体２０は、蓋体２０の取付け孔２２からビス１６を挿通して雌ネジ１５にねじ込んで固定する。ボックス本体１内では電線Ｗは露出するが、蓋体２０で覆われるので、電線Ｗを保護することができる。
この状態においては、ボックス本体１の底壁３が建物の壁面Ｓに当接させられるので、支持が確実になる。また、配線用プルボックスＢは、建物のコーナ部Ｃから突出して取り付けられることになるが、その底壁３の外側面３ａは建物の壁面Ｓに当接して外部に露出することがなく、そのため、外観品質を向上させることができる。また、ボックス本体１全体がＬ字形状に形成されているので、出っ張りを最小限に抑えることができ、コンパクトになって、より一層外観品質を向上させることができる。更に、蓋体２０全体もＬ字形に形成され、出っ張りを最小限に抑えることができるので、コンパクトになってこの点でも外観品質を向上させることができる。
【００３１】
次に、図５に示すように、本発明の第二の実施の形態に係る配線用プルボックスＢについて説明する。第二の実施の形態に係る配線用プルボックスＢは、建物の一方の建物壁面ＳＡと他方の建物壁面ＳＢとの表面側のなす角度が９０°の凹んだコーナ部Ｃ（角部）用のものである。
この配線用プルボックスＢは、開口２を有したボックス本体１と、開口２を塞ぐ蓋体２０とからなり、夫々、樹脂で型成形により形成されており、上記の第一の実施の形態に係る配線用プルボックスＢとは、底壁３と蓋体２０を入れ変えたような構成になっている。即ち、底壁３において、一方底壁１０Ａの外側面３ａと他方底壁１０Ｂの外側面３ａとのなす角度θは、θ＝２７０°に設定され、底壁３全体は、折曲線Ｑに平行で互いに対向する直線状の一対の直線外側辺１１と、折曲線Ｑに直交しＬ字状に形成された一対のＬ字外側辺１２とを備えた形状に形成されている。尚、この別の例では、枕部は特に設けなくても良い。
【００３２】
従って、この実施の形態に係る配線用プルボックスＢを用いるときは以下のようになる。ここでは、例えば、一方の建物壁面ＳＡに水平方向に配線された２本の電線Ｗ（ａ）,Ｗ（ｂ）の何れも、他方の建物壁面ＳＢに沿わせるように曲げて方向変換させる場合で説明する。現場において、所謂ホールソーといわれる穴開け工具（図示せず）により、ボックス本体１の一方の建物壁面ＳＡ側を向く矩形側壁１３Ａに電線管Ｋを接続するための２つの挿通孔４を形成するとともに、他方の建物壁面ＳＢ側を向く矩形側壁１３Ａに電線管Ｋを接続するための２つの挿通孔４を形成する。
【００３３】
それから、このボックス本体１を、その一方底壁１０Ａを一方の建物壁面ＳＡに当接させ、他方底壁１０Ｂを他方の建物壁面ＳＢに当接させて建物のコーナ部Ｃの壁面Ｓに付設する。次に、これらの各挿通孔４に電線管Ｋの端部Ｋａを挿通して上記と同様のネジ手段により電線管Ｋをボックス本体１の側壁５に取付け固定する。
【００３４】
そして、この状態で、一方の電線Ｗ（ａ）を一方の建物壁面ＳＡ側の上側の電線管Ｋから引き通し、ボックス本体１内で曲げて、更に、他方の建物壁面ＳＢ側の電線管Ｋに引き通す。また、他方の電線Ｗ（ｂ）についても同様に行う。この場合、ボックス本体１では、一方側の電線管Ｋから挿通された電線Ｗを一度このボックス本体１内に露出させてから、他方側の電線管Ｋに引き通すことができるので、引き通し作業が極めて容易に行われる。他の作用，効果は、上記と同様である。
【００３５】
尚、上記実施の形態において、底壁３，側壁５及び蓋体２０の形状として、例えば、図６に示すように、略Ｌ字形の一対のＬ字形側壁１３Ｂの角部を円弧形成し、これに合わせて略Ｌ字形の蓋体２０の角部を円弧形成する等、適宜変更して差し支えない。
【００３６】
また、上記実施の形態において、枕部１７には凸条１８を形成したが、必ずしもこれに限定されるものではなく、図６に示すように、凸条１８を設けずに、その表面を単に横断面円弧状に形成しても良く、適宜変更して差し支えない。
更に、上記実施の形態において、ボックス本体１に接続する電線管Ｋの数や、その位置は、上述したものに限定されるものではなく、適宜変更して差し支えない。
【００３７】
尚また、上記実施の形態では、ボックス本体１及び蓋体２０を夫々樹脂で型成形したが、必ずしもこれに限定されるものではなく、鈑金により金属板を折曲形成して溶接で接合するように形成しても良く、適宜変更して差し支えない。また、側壁５に形成する挿通孔４は、予め形成して、取り外し可能な蓋で覆っておき、使用時に必要な挿通孔４の蓋を取り外して、これに電線管Ｋを接続するようにしても良く、適宜変更して差し支えない。
【符号の説明】
【００３８】
Ｂ  配線用プルボックス
Ｓ  建物の壁面
ＳＡ  一方の建物壁面
ＳＢ  他方の建物壁面
Ｗ，Ｗ（ａ）,Ｗ（ｂ）  電線
Ｋ  電線管
Ｋａ  端部
Ｃ  コーナ部
１  ボックス本体
２  開口
３  底壁
３ａ  外側面
３ｂ  内側面
４  挿通孔
５  側壁
６  フランジ
７  雄ネジ
８  ナット
Ｑ  折曲線
１０Ａ  一方底壁
１０Ｂ  他方底壁
１１  直線外側辺
１２  Ｌ字外側辺
１３Ａ  矩形側壁
１３Ｂ  Ｌ字形側壁
１４  ボス
１５  雌ネジ
１６  ビス
１７  枕部
１８  凸条
２０  蓋体
２１Ａ  一方蓋壁
２１Ｂ  他方蓋壁
２２  取付け孔
２３  ビス
【要約】
【課題】  建物のコーナ部において曲げられて配線される電線を覆うことができるようにするとともに、建物の壁面への支持を確実にして、外観品質の向上を図る。
【解決手段】  建物の壁面Ｓに付設される外側面を有した底壁３を備え、且つ、底壁３の外周縁から底壁３の内側面３ｂ側に立設されて開口２を形成するとともに電線Ｗが挿通される挿通孔４が形成される側壁５を備えたボックス本体１と、ボックス本体１の開口２を塞ぐ蓋体２０とを備え、底壁３を、折曲線Ｑを境にして折曲形成され折曲線Ｑの両側に所定角度で連設される一方底壁１０Ａと他方底壁１０Ｂとを有した形状に形成した。また、底壁３の内側面３ｂ側に折曲線Ｑに沿って突出し電線Ｗを支持可能な枕部１７を設けた。
【選択図】  図１【図１】
0005461724.tif 000002
【図２】
0005461724.tif 000003
【図３】
0005461724.tif 000004
【図４】
0005461724.tif 000005
【図５】
0005461724.tif 000006
【図６】
0005461724.tif 000007
【図７】
0005461724.tif 000008
【図８】
0005461724.tif 000009
【図９】
0005461724.tif 000010